(57)【特許請求の範囲】
【請求項１】
前側の外周部に外方に突出形成された断面Ｌ字状の鍔部と、前記鍔部の外周部に外方に突出形成された小鍔部と、前記小鍔部の外周の複数個所に外方に突出形成された複数の嵌合突起とを有する機器本体と、
前面部と、前記前面部の外周縁から後方に延設された延設部とを有し、前記延設部の基端側内面と当該基端側内面より外面側にある先端側内面との間に段差面が形成され、前記先端側内面においてそれぞれが異なる前記嵌合突起に嵌合する複数の嵌合凹部が形成され、前記機器本体の前面部に被着され、必要に応じて選択できる任意形態の前面カバーと、
前記小鍔部の前面と前記段差面とで挟持されるとともに前記鍔部の外周面と前記先端側内面とで挟持されるＯリングと
を備え、
前記嵌合突起及び前記複数の嵌合凹部は、前記機器本体と前記前面カバーとの継目と前記Ｏリングとの間に設けられ、
前記嵌合凹部に前記嵌合突起が嵌合したときに、前記継目が前記小鍔部の後面側及び前記延設部の先端側にあり、前記機器本体と前記前面カバーとで前記Ｏリングを圧縮して当該機器本体及び当該前面カバーに当該Ｏリングを密着させる
ことを特徴とする電気機器。
【請求項２】
前面形状が丸形である前面カバーを機器本体の前面部に被着して成ることを特徴とする請求項１記載の電気機器。
【請求項３】
前面形状が矩形である前面カバーを機器本体の前面部に被着して成ることを特徴とする請求項１記載の電気機器。
【請求項４】
前面カバーを、少なくとも前面部を内部が透視可能な光透過部位とした樹脂成形品により形成して成ることを特徴とする請求項１乃至３の何れか記載の電気機器。
【請求項５】
前面から視認可能に印刷表記した前面カバーを機器本体の前面部に被着して成ることを特徴とする１乃至３の何れか記載の電気機器。
【請求項６】
前記機器本体の前面部と前記前面カバーとの間に介装され、介装時には前記前面カバーの前方から一部乃至全部が視認可能な任意形態の前面シートに、前面から視認可能な印刷表記を施して成ることを特徴とする請求項１乃至４の何れか記載の電気機器。
【請求項７】
前記機器本体の前面部と前記前面カバーとの間に介装され、介装時には前記前面カバーの前方から一部乃至全部が視認可能な任意形態の前面シートのシート材に、任意の色のシート材を用いて成ることを特徴とする請求項１乃至４又は６の何れか記載の電気機器。
【発明の詳細な説明】
【０００１】
【発明の属する技術分野】
本発明は、アワーメータのようなパネル取付用の電気機器に関するものである。
【０００２】
【従来の技術】
従来アワーメータ等のパネル取付用の電気機器の場合、他のパネル取付用電気機器と併用することが多く、この場合ユーザーが持つパネルの統一デザインイメージが優先され、製造者側の独自のデザインによる機器が採用されるのは難しかった。
【０００３】
【発明が解決しようとする課題】
本発明の目的とするところは、機器本体内を大気に対して密封することができる電気機器を提供することにある。
【０００５】
【課題を解決するための手段】
上記目的を達成するために、請求項１の発明では、前側の外周部に外方に突出形成された断面Ｌ字状の鍔部と、前記鍔部の外周部に外方に突出形成された小鍔部と、前記小鍔部の外周の複数個所に外方に突出形成された複数の嵌合突起とを有する機器本体と、前面部と、前記前面部の外周縁から後方に延設された延設部とを有し、前記延設部の基端側内面と当該基端側内面より外面側にある先端側内面との間に段差面が形成され、前記先端側内面においてそれぞれが異なる前記嵌合突起に嵌合する複数の嵌合凹部が形成され、前記機器本体の前面部に被着され、必要に応じて選択できる任意形態の前面カバーと、前記小鍔部の前面と前記段差面とで挟持されるとともに前記鍔部の外周面と前記先端側内面とで挟持されるＯリングとを備え、前記嵌合突起及び前記複数の嵌合凹部が、前記機器本体と前記前面カバーとの継目と前記Ｏリングとの間に設けられ、前記嵌合凹部に前記嵌合突起が嵌合したときに、前記継目が前記小鍔部の後面側及び前記延設部の先端側にあり、前記機器本体と前記前面カバーとで前記Ｏリングを圧縮して当該機器本体及び当該前面カバーに当該Ｏリングを密着させることを特徴とする。
【０００６】
請求項２の発明では、請求項１の発明において、前面形状が丸形である前面カバーを機器本体の前面部に被着して成ることを特徴とする。
【０００７】
請求項３の発明では、請求項１の発明において、前面形状が矩形である前面カバーを機器本体の前面部に被着して成ることを特徴とする。
【０００８】
請求項４の発明では、請求項１乃至３の何れかの発明において、前面カバーを、少なくとも前面部を内部が透視可能な光透過部位とした樹脂成形品により形成して成ることを特徴とする。
【０００９】
請求項５の発明では、請求項１乃至３の何れかの発明において、前面から視認可能に表示内容を印刷した前面カバーを機器本体の前面部に被着して成ることを特徴とする。
【００１０】
請求項６の発明では、請求項１乃至４の発明において、前記機器本体の前面部と前記前面カバーとの間に介装され、介装時には前記前面カバーの前方から一部乃至全部が視認可能な任意形態の前面シートには、少なくとも前面から視認可能に印刷表記して成ることを特徴とする。
【００１１】
請求項７の発明では、請求項１乃至４又は６の何れかの発明において、前記機器本体の前面部と前記前面カバーとの間に介装され、介装時には前記前面カバーの前方から一部乃至全部が視認可能な任意形態の前面シートのシート材に、任意の色のシート材を用いて成ることを特徴とする。
【００１２】
【発明の実施の形態】
以下本発明を実施形態により説明する。
【００１３】
本実施形態は、アワーメータに採用されたもので、図１に示すようにアワーメータの駆動部１を内蔵した機器本体（ケース）２と、該機器本体２の前面部に装着される前面カバー３と、前面カバー３と、機器本体２の前面部との間に介装される前面シート６とをそれぞれ独立して形成される構成部材とし、機器本体２を１種類準備するとともに、前面カバー３としてはユーザーの要望するデザイン等の任意形態のものを、また前面シート６としては前面カバー３の形態に対応させ、必要に応じてユーザーの要望する任意形態のものを夫々準備して組み付けることで、ユーザーの要望を満足させるアワーメータを完成させるようになっている。
【００１４】
ここで機器本体２は前側の外周部に鍔部２ａを外方に突出形成し、この鍔部２ａの外周には更に小鍔部２ｃを全周に亘って形成するとともに、この小鍔部２ｃの外周に、図２に示すように周方向に等間隔に３カ所、前面カバー３を取り付けるための嵌合突起２ｂを外向けに突出形成してある。
【００１５】
一方前面カバー３は合成樹脂成形品からなり、ユーザーの要望に応じられるように前面の外形状が丸形のものの他に、図３に示すように矩形状の形状ものが準備され、また前面の外形状以外に、図４に示すように前面の周縁部に縁がないものや、図１に示すような縁３ａがあるものを各外形状のものについて準備される。
【００１６】
そして図５に示すように前面カバー３の後面側には上記機器本体２側の前部を嵌め込むための筒部４を形成しており、この筒部４は内周面側に鍔部２ａの外径に対応する小内径部４ａと、これに連なるように小鍔部２ｃの外径に対応する大内径部４ｂとを形成し、大内径部４ｂの内周面には上記嵌合突起２ｂを嵌合するための嵌合凹部４ｃを形成してある。尚図５は縁３ａ有りの前面カバー３の例を示しているが、図４に示す縁なしの前面カバー３においても同様な構造を設けてある。勿論外形状が図３に示すように矩形状のものにおいても同様な構造を設けてある。
【００１７】
而して何れの形状の前面カバー３であっても、機器本体２の前面部に装着する場合、予め機器本体２の鍔部２ａよりも前側の機器本体２の外周部にＯリング５を図５に示すように装着しておく。そして、前面カバー３の筒部４内に機器本体２の前部を嵌め、大内径部４ｂの嵌合凹部４ｃに、小鍔部２ｃに突設してある嵌合突起２ｂを筒部４の周壁の弾性を利用して嵌合して前面カバー３を機器本体２の前面部に固定する。この際筒部４の小内径部４ａ内に機器本体２の前端が嵌り、大内径部４ｂの内面と、鍔部２ａの前面及び機器本体２の前端外周面とでＯリング５を圧縮してこれら面にＯリング５を密着させることで、機器本体２内を大気に対して密封する。
【００１８】
この前面カバー３を機器本体２の前端部に被着する際に、必要に応じて前面カバー３と機器本体２の前面部との間に前面シート６を介装させるのである。この場合に用いる前面カバー３は介装している前面シート６を外側から視認できるように少なくとも前面部が光透過部位となった樹脂成形品により形成されたものを用いる。この場合全体が無着色若しくは着色を施し、全体若しくは前面部が光透過部位（透明部位）であっても良い。
【００１９】
前面シート６のデザイン及び色もユーザーの要望に応じたものを準備する。つまり印字する表示内容をユーザーの要望に応じたものとするとともに、その色もユーザーの要望に応じられるように種々の色のシート材を準備しておく。
【００２０】
従って前面カバー３の色と、前面シート６の色の組み合わせによって印象が異なるアワーメータを作り出すことができ、また印字表記内容もユーザーの要望に即することができる。
【００２１】
図６は丸形の前面カバー３に対応する前面シート６の印刷例を示すもので、この例では中央部に駆動部の時間表示部が臨む表示窓６ａと、駆動部１の回転表示部位を臨ます窓孔６ｂを夫々開口し、表示窓６ａの側方には時間の単位を示す”ｈ”という文字と、表示窓６ａの縁取りと、”ＨＯＵＲＭＥＴＥＲ”という文字とを表示印字表記してある。また周縁には機器本体２の前面部に形成した凹部２ｄの前面開口付近に形成した前面シート載置用段面２ｆに突設せる位置決め突起２ｅが嵌る凹欠６ｄを設けてある。
【００２２】
図７は円形で且つ縁３ａを形成し全体が光透過可能で着色を施した前面カバー３と機器本体２の前面部との間に図６の前面シート６を介在させた完成品を示している。尚図７中７は取付パネル（図示せず）に取り付けるためのコ字状のブラケットであって、機器本体２の両側面に沿うように配置される両側片の先端と、機器本体２の鍔部２ａとで取付パネルの取り付け孔周辺部を表、裏面から挟んで機器本体２を取付パネルに固定するようになっており、中央片が機器本体２の後面に前後進自在にネジにより取り付けられている。
【００２３】
図８（ａ）〜（ｄ）はデザインが異なる完成品の前面を示しており、これら例は、前面カバー３の前面部に文字や窓枠の縁取りを直接印刷したもので、前面シート６を使用していない例を示す。前面カバー３に直接印刷表記する場合は前面シート６を介装させる必要がなくなり、組立工数や部品点数を削減できる。この場合に使用される合成樹脂成形品からなる前面カバー３は印字部位を除いて前面全体が光透過部位に形成されていて良いが、表示窓部位のみを透明として他の部位を不透明としても良い。
【００２４】
また図３のように外形状が矩形の前面カバー３を用いる場合も、丸形の場合と同様に適合する前面シート６を準備したり、或いは直接印刷によって表記すればよい。
【００２５】
尚印刷表記内容や前面カバー３の外形状及び前面シート６のデザインは上記図示例に特に限定されるものではなく、ユーザーの要望に合わせて準備することで、ユーザーの要望に対応できる。
【００２６】
【発明の効果】
請求項１の発明は、前側の外周部に外方に突出形成された断面Ｌ字状の鍔部と、前記鍔部の外周部に外方に突出形成された小鍔部と、前記小鍔部の外周の複数個所に外方に突出形成された複数の嵌合突起とを有する機器本体と、前面部と、前記前面部の外周縁から後方に延設された延設部とを有し、前記延設部の基端側内面と当該基端側内面より外面側にある先端側内面との間に段差面が形成され、前記先端側内面においてそれぞれが異なる前記嵌合突起に嵌合する複数の嵌合凹部が形成され、前記機器本体の前面部に被着され、必要に応じて選択できる任意形態の前面カバーと、前記小鍔部の前面と前記段差面とで挟持されるとともに前記鍔部の外周面と前記先端側内面とで挟持されるＯリングとを備え、前記嵌合突起及び前記複数の嵌合凹部が、前記機器本体と前記前面カバーとの継目と前記Ｏリングとの間に設けられ、前記嵌合凹部に前記嵌合突起が嵌合したときに、前記継目が前記小鍔部の後面側及び前記延設部の先端側にあり、前記機器本体と前記前面カバーとで前記Ｏリングを圧縮して当該機器本体及び当該前面カバーに当該Ｏリングを密着させるので、機器本体内を大気に対して密封することができるという効果がある。
【００２７】
請求項２の発明は、請求項１の発明において、前面形状が丸形である前面カバーを機器本体の前面部に被着しているので、前面のデザインが丸形の電気機器を提供できる。
【００２８】
請求項３の発明は、請求項１の発明において、前面形状が矩形である前面カバーを機器本体の前面部に被着しているので、前面のデザインが矩形の電気機器を提供できる。
【００２９】
請求項４の発明は、請求項１乃至３の何れかの発明において、前面カバーを、少なくとも前面部を内部が透視可能な光透過部位とした樹脂成形品により形成しているので、内部の前面シートのデザインの変更によって印象が異なるものを容易に提供できる。
【００３０】
請求項５の発明は、請求項１乃至３の何れかの発明において、前面から視認可能に表示内容を印刷した前面カバーを機器本体の前面部に被着してあるので、前面シートを用いる必要がなく、前面カバーを替えるだけで、種々のデザインの電気機器を提供することができる。
【００３１】
請求項６の発明は、請求項１乃至４の発明において、前記機器本体の前面部と前記前面カバーとの間に介装され、介装時には前記前面カバーの前方から一部乃至全部が視認可能な任意形態の前面シートには、少なくとも前面から視認可能に印刷表記してあるので、この印刷表記により種々のデザインの電気機器を提供することができる。
【００３２】
請求項７の発明では、請求項１乃至４又は６の何れかの発明において、前記機器本体の前面部と前記前面カバーとの間に介装され、介装時には前記前面カバーの前方から一部乃至全部が視認可能な任意形態の前面シートのシート材に、任意の色のシート材を用いるので、色によって種々のデザインの電気機器を提供することができる。
【図面の簡単な説明】
【図１】本発明の実施形態の分解状態を示す側面断面図である。
【図２】同上に用いる機器本体の前面図である。
【図３】同上に用いることができる他の前面カバーの正面図である。
【図４】同上に用いることができる別の前面カバーの側面断面図である。
【図５】同上の要部拡大断面図である。
【図６】同上に用いることができる前面シートの一例の正面図である。
【図７】同上の完成品の一例を示す斜視図である。
【図８】（ａ）〜（ｄ）は同上に用いることができる前面カバーの他の例の正面図である。
【符号の説明】
１  駆動部
２  機器本体
３  前面カバー
６  前面シート
【図１】
0004182628.tif 000002
【図２】
0004182628.tif 000003
【図３】
0004182628.tif 000004
【図４】
0004182628.tif 000005
【図５】
0004182628.tif 000006
【図６】
0004182628.tif 000007
【図７】
0004182628.tif 000008
【図８】
0004182628.tif 000009